(57)【要約】【課題】構造を簡素化し且つ作製工数の削減によりコスト低減が可能となる構造支柱下端の支持装置を提供する。【解決手段】一対の長尺状の取付部材５とこれら取付部材５の間に掛け渡された基礎板６とからなる支柱受止体７の複数が、基準固定面３の上方に並置され、構造支柱下端を連結固定するための支柱固定用のアンカーボルト８が基礎板６にそれを挿通する状態で設けられ、一対の取付部材５の並び方向に延びるつなぎ部材９における取付部材５に接続される箇所に対応する部分に下方に延びる束材１０が設けられ、基準固定面３を形成する基礎部に埋め込み状態で設置される束材支持用のアンカーボルト１１における上方突出部分に形成されたネジ軸部１３が、束材１０の下端の被支持部１２に挿通され、ネジ軸部１３に螺合する束材取付用のナット１７により、ネジ軸部１３に対して被支持部１２を締め付け固定してある。【選択図】図２
2009024455.tif 000002
【特許請求の範囲】
【請求項１】
水平方向に配設される一対の長尺状の取付部材とこれら取付部材の間に掛け渡された基礎板とからなる支柱受止体の複数が、基準固定面の上方に並置され、構造支柱下端を連結固定するための支柱固定用のアンカーボルトが、前記基礎板にそれを挿通する状態で設けられ、前記一対の取付部材の並び方向に延びるつなぎ部材が、それら一対の取付部材の下方に位置する状態でそれら一対の取付部材に接続され、前記つなぎ部材における前記取付部材に接続される箇所に対応する部分に、下方に延びる束材が設けられた構造支柱下端の支持装置であって、
前記基準固定面を形成する基礎部に埋め込み状態で設置される束材支持用のアンカーボルトにおける上方突出部分に形成されたネジ軸部が、前記束材の下端の被支持部に挿通され、前記ネジ軸部に螺合する束材取付用のナットにより、前記ネジ軸部に対して前記被支持部を締め付け固定してある構造支柱下端の支持装置。
【請求項２】
前記束材支持用のアンカーボルトが、それに外装する角形の座金を前記ネジ軸部に螺合する固定用のナットにより前記基準固定面に接当させるように締め付ける状態で設けられている請求項１記載の構造支柱下端の支持装置。
【発明の詳細な説明】
【技術分野】
【０００１】
本発明は、例えばコンクリートスラブ上に設置される棚などの構造物における構造支柱を支持固定する構造支柱下端の支持装置に関し、詳しくは、水平方向に配設される一対の長尺状の取付部材とこれら取付部材の間に掛け渡された基礎板とからなる支柱受止体の複数が、基準固定面の上方に並置され、構造支柱下端を連結固定するための支柱固定用のアンカーボルトが、前記基礎板にそれを挿通する状態で設けられ、前記一対の取付部材の並び方向に延びるつなぎ部材が、それら一対の取付部材の下方に位置する状態でそれら一対の取付部材に接続され、前記つなぎ部材における前記取付部材に接続される箇所に対応する部分に、下方に延びる束材が設けられた構造支柱下端の支持装置に関する。
【背景技術】
【０００２】
このような構造支柱下端の支持装置における前記束材を前記基準固定面を形成する基礎部に支持するための構成として、従来では、次のように構成されたものがあった。
すなわち、前記一対の取付部材の並び方向にわたって延びる帯板状フレームが、前記基準固定面を形成する基礎部としての捨てコンクリートの上面に、捨てコンクリートに埋め込み固定される一対のアンカーボルトによって固定する状態で設けられ、この帯板状フレームには一対のネジ軸部が固定状態で立設され、このネジ軸部を束材の下端部に形成された被支持部に挿通させて、ネジ軸部に螺合する束材取付用のナットによりネジ軸部に対して被支持部を締め付け固定する構成となっていた（例えば、特許文献１参照。）。
【０００３】
説明を加えると、この構造支柱下端の支持装置は、前記基礎板の上部面よりも下方側に位置する各部材がコンクリートスラブ内に埋設され、コンクリートスラブの上方に突出する支柱固定用のアンカーボルトにて構造支柱下端を連結固定するようにしたものであるが、コンクリートスラブを形成するためのコンクリートが打設される前に、前記基準固定面を形成する基礎部に支持する状態で設置され、コンクリートが打設された後においても、支柱固定用のアンカーボルトの位置を構造支柱下端を連結固定するための適正な位置に位置決めすることができるようになっている。
【０００４】
そして、コンクリートが打設される前に、前記束材取付用のナットによる前記束材の被支持部の締め付けを解除して、その束材の被支持部を前記ネジ軸部の軸芯方向に沿って調整すべき位置に移動させたのち、再度、前記束材取付用のナットにより前記束材の被支持部を締め付け固定することで、束材の基準固定面に対する上下位置、言い換えると、前記基礎板の上部面の上下位置を変更調整することが可能な構成となっている。
【０００５】
【特許文献１】特開平７−１８６８４号公報
【発明の開示】
【発明が解決しようとする課題】
【０００６】
上記従来構成においては、前記束材を前記基準固定面を形成する基礎部に支持するための構成として、前記帯板状フレーム、この帯板状フレームを前記基準固定面に固定するための一対のアンカーボルト、及び、前記帯板状フレームに固定状態で立設される一対のネジ軸部等が必要であり、部品点数が多くなってそれだけ構造が複雑になるものであった。しかも、施工現場での組み付け作業に先立って、前記帯板状フレームに対して一対のネジ軸部を溶接等によって取り付ける必要があり、余計な部材の加工作業が必要であり作業の手間がかかるものであった。その結果、部品点数の増加により構造が複雑になり、しかも、余計な部材の加工作業が必要であり、コスト高を招く不利があった。
【０００７】
本発明の目的は、構造を簡素化し且つ部材の加工作業の削減によりコスト低減が可能となる構造支柱下端の支持装置を提供する点にある。
【課題を解決するための手段】
【０００８】
本発明に係る構造支柱下端の支持装置は、水平方向に配設される一対の長尺状の取付部材とこれら取付部材の間に掛け渡された基礎板とからなる支柱受止体の複数が、基準固定面の上方に並置され、構造支柱下端を連結固定するための支柱固定用のアンカーボルトが、前記基礎板にそれを挿通する状態で設けられ、前記一対の取付部材の並び方向に延びるつなぎ部材が、それら一対の取付部材の下方に位置する状態でそれら一対の取付部材に接続され、前記つなぎ部材における前記取付部材に接続される箇所に対応する部分に、下方に延びる束材が設けられたものであって、その第１特徴構成は、前記基準固定面を形成する基礎部に埋め込み状態で設置される束材支持用のアンカーボルトにおける上方突出部分に形成されたネジ軸部が、前記束材の下端の被支持部に挿通され、前記ネジ軸部に螺合する束材取付用のナットにより、前記ネジ軸部に対して前記被支持部を締め付け固定してある点にある。
【０００９】
第１特徴構成によれば、前記基準固定面を形成する基礎部に埋め込み状態で設置される束材支持用のアンカーボルトにおける上方突出部分にネジ軸部が形成されており、このネジ軸部を束材の下端に形成される被支持部に挿通させて、このネジ軸部に螺合する束材取付用のナットにより被支持部を締め付け固定する構成とすることで、束材の被支持部をネジ軸部の軸芯方向に沿って位置を変更させて束材取付用のナットにより締め付けることにより、基準固定面に対する上下位置を変更調整する可能な状態で、束材を基準固定面を形成する基礎部に対して支持させることができる。
【００１０】
すなわち、束材支持用のアンカーボルトとそれに螺合されるナットにより、基準固定面に対する上下位置を変更調整可能な状態で束材を基準固定面を形成する基礎部に支持することができるものとなり、束材を基礎部に支持するための構成が少ない部品点数で対応できて、構造の簡素化により、コスト低減を図ることができる。
【００１１】
又、施工現場にて、束材支持用のアンカーボルトを埋め込み状態で設置する作業と、その束材支持用のアンカーボルトに束材の被支持部を締め付け固定するだけの作業で対応でき、施工現場の作業の前に事前に部材同士を組み付ける等の余計な部材の加工作業が不要であり、そのことによりコスト低減を図ることが可能となる。
【００１２】
従って、構造を簡素化し且つ部材の加工作業の削減によりコスト低減が可能となる構造支柱下端の支持装置を提供できるに至った。
【００１３】
本発明の第２特徴構成は、第１特徴構成に加えて、前記束材支持用のアンカーボルトが、それに外装する角形の座金を前記ネジ軸部に螺合する固定用のナットにより前記基準固定面に接当させるように締め付ける状態で設けられている点にある。
【００１４】
第２特徴構成によれば、束材支持用のアンカーボルトに外装する角形の座金をネジ軸部に螺合する固定用のナットにより基準固定面に接当させるように締め付けるのである。束材支持用のアンカーボルトは、基準固定面を形成する基礎部に埋め込み状態で設置されるが、固定用のナットによりアンカーボルトに外装する角形の座金が基準固定面に接当させるように締め付けられるので、束材支持用のアンカーボルトにかかる構造物の荷重は基準固定面に接当する角形の座金を介して基準固定面にて受け止められることになるから、構造物の荷重によってアンカーボルトが下方に移動することを阻止することができる。その結果、構造物の荷重によってアンカーボルトが基礎部に沈み込むのを防止することができ、構造支柱を安定した状態で支持することができる。
【００１５】
又、前記束材支持用のアンカーボルトの前記基準固定面に対する埋め込み箇所に角形の座金が設けられるので、例えば、前記基準固定面と前記支柱受止体との上下中間位置に格子状の鉄筋等を配置させる基礎用の配筋工事を行う場合において、角形の座金を鉄筋等からなる配筋の位置合わせのための目印として利用することもでき、施工現場での作業性を向上させることが可能になる。
【００１６】
従って、第２特徴構成によれば、アンカーボルトが基礎部に沈み込むのを防止して構造支柱を安定した状態で支持することができ、しかも、施工現場での作業性を向上させることが可能な構造支柱下端の支持装置を提供できるに至った。
【発明を実施するための最良の形態】
【００１７】
以下、本発明に係る構造支柱下端の支持装置の実施形態を図面に基づいて説明する。
この構造支柱下端の支持装置は、構造物の構造支柱としての自動倉庫における縦支柱を支持するための基礎架台として用いられるものであって、図１に示すように、砕石層１の上に打設された捨てコンクリート２の上面を基準固定面３として、コンクリートスラブ４を打設する前に設置されて、コンクリートスラブ４を形成するためのコンクリートが打設されるとその中に埋設されることになる。
【００１８】
この構造支柱下端の支持装置は、水平方向に配設される一対の長尺状の取付部材５とこれら取付部材５の間に掛け渡された基礎板６とからなる支柱受止体７の複数が、基準固定面３の上方に並置され、構造支柱下端を連結固定するための支柱固定用のアンカーボルト８が、前記基礎板６にそれを挿通する状態で設けられ、前記一対の取付部材５の並び方向に延びるつなぎ部材９が、それら一対の取付部材５の下方に位置する状態でそれら一対の取付部材５に接続され、前記つなぎ部材９における前記取付部材５に接続される箇所に対応する部分に、下方に延びる束材１０が設けられる構成となっている。
【００１９】
又、この構造支柱下端の支持装置には、基準固定面３と支柱受止体７との上下中間位置には、コンクリートスラブ４を補強するための鉄筋等からなる格子状の下部配筋２７が備えられ、取付部材５よりも上方側であって且つコンクリートスラブ４の表面よりも下方側の上下中間位置には、コンクリートスラブ４を補強するための鉄筋等からなる格子状の上部配筋３２が備えられている。尚、下部配筋２７及び上部配筋３２については、図面を理解し易くするために、図１ではその一部だけを示し、図２では図面の記載を省略している。
【００２０】
前記支柱受止体７の構成について説明を加える。
図２に示すように、一対の長尺状の取付部材５にわたって門形状の基礎板６が架け渡されて溶接固定されており、この基礎板６は取付部材５の長手方向に沿って適宜間隔をあける状態で複数設けられ、一対の取付部材５とこれら複数の基礎板６とにより支柱受止体７が形成され、この支柱受止体７が一対の取付部材５の並び方向に沿って間隔をあけて並置される状態で複数組設けられている。そして、これら複数組の支柱受止体７の夫々は前記基準固定面３から所定量上方レベルに位置させる状態で支持されている。
【００２１】
次に、前記支柱受止体７を支持するための支持構造について説明する。
図２及び図３に示すように、前記基準固定面３を形成する基礎部としての捨てコンクリート２に埋め込み状態で設置される束材支持用のアンカーボルト１１における上方突出部分に形成されたネジ軸部１３が、前記束材１０の下端の被支持部１２に挿通され、前記ネジ軸部１３に螺合する束材１０取付用のナット１７により、前記ネジ軸部１３に対して前記被支持部１２を締め付け固定してある。又、前記束材支持用のアンカーボルト１１が、それに外装する角形の座金１４を前記ネジ軸部１３に螺合する固定用のナット１５により前記基準固定面３に接当させるように締め付ける状態で設けられている。
【００２２】
説明を加えると、図３に示すように、前記支柱受止体７を支持するための構成として、下方側箇所が捨てコンクリート２に埋め込まれ且つ上方側にネジ軸部１３が一体的に形成された一対の束材支持用のアンカーボルト１１と、その一対の束材支持用のアンカーボルト１１に対応する一対の束材１０とが設けられている。前記束材１０は、横断面形状Ｌ字状のアングル材を用いる構成となっており、束材１０の下端部に一体的に溶接される水平板材１６により被支持部１２が形成されている。
【００２３】
そして、各束材１０の被支持部１２に形成された挿通孔を通して各束材支持用のアンカーボルト１１におけるネジ軸部１３を挿通させ、被支持部１２をネジ軸部１３に螺合された束材取付用のナット１７にて締め付けることにより、各束材１０を前記各束材支持用のアンカーボルト１１にて各別に固定支持することができるように構成されている。そして、束材取付用のナット１７により被支持部１２を締め付ける位置をネジ軸部１３の軸芯方向に変更することで束材１０の基準固定面３に対する上下位置を変更調整することができるようになっている。
【００２４】
又、各束材１０の上部にわたって架設連結されて水平方向に延びる長尺状のつなぎ部材９が備えられ、前記支柱受止体７における前記一対の取付部材５がつなぎ部材９の上部にボルト１８とナット１９にて連結して接続される構成となっている。
図３に示すように、前記つなぎ部材９は、水平姿勢の板状部９ｂとその板状部９ｂの一端から下方に延びる縦姿勢の板状部９ａを備えた縦断面形状Ｌ字状に形成され、前記束材１０が、つなぎ部材９における水平姿勢の板状部９ｂの下面及びその下面に連なる縦姿勢の板状部９ａの内面に接当するように配置され且つ水平姿勢の板状部９ｂ及び縦姿勢の板状部９ａの夫々に溶接接続される状態で、つなぎ部材９に接続されている。
【００２５】
そして、図３に示すように、前記取付部材５は、水平姿勢の板状部５ｂとその板状部５９ｂの一端から上方に延びる縦姿勢の板状部５ａを備えた縦断面形状Ｌ字状に形成され、前記つなぎ部材９の水平姿勢の板状部９ｂにおける取付部材５が重なり合う箇所には、長手方向がつなぎ部材９の長手方向に沿う状態でつなぎ部材側長孔２８が形成され、前記取付部材５の水平姿勢の板状部５ｂにおけるつなぎ部材９が重なり合う箇所には、長手方向がつなぎ部材９の長手方向と交差する状態で取付部材側長孔２９が形成され、つなぎ部材側長孔２８と取付部材側長孔２９とを挿通するボルト１８とそれに螺合するナット１９とにより締結する状態でつなぎ部材９と取付部材５とが接続される構成となっている。又、取付部材５の水平面部の上面側に当て付ける状態で角形の座金３０を介在させてナット１９で締め付けるようになっている。
【００２６】
図２に示すように、各基礎板６の一対の天板部２０には夫々一対の支柱固定用のアンカーボルト８が挿通されており、この支柱固定用のアンカーボルト８はストレートタイプのものであり、その下端には引抜強度向上のためにボルト径よりも大きな大径部２１が形成されている。
【００２７】
構造物としての自動倉庫の収納棚には所定間隔ごとに縦支柱２２（図８参照）が設けられ、これら縦支柱２２の下端には、基礎板６の一対の天板部２０に載置可能なベースプレート２３が設けられ、ベースプレート２３は上記支柱固定用のアンカーボルト８と固定用ナット３４とにより基礎板６に連結固定される構成となっている。
【００２８】
次に、この構造支柱下端の支持装置を施工する際の施工手順について説明する。
先ず、当該支持装置が設置される施工現場での施工の前に、製作工場などで予め一対の長尺状の取付部材５に複数の基礎板６を架け渡して溶接固定し、且つ、前記基礎板６における各天板部２０夫々に一対の支柱固定用のアンカーボルト８を螺合装着して、それらをユニット状に組み付けて支柱受止体７を複数組形成しておく。一方、前記支柱受止体７とは別に、製作工場などで予め、前記長尺状のつなぎ部材９に対して設定間隔をあけて複数の前記束材１０を溶接固定してユニット状の支持用連結部２５を複数形成しておく。そして、これらユニット状の支柱受止体７及びユニット状の支持用連結部２５を施工現場に搬入するようになっている。
このことにより、施工現場での取付部材５と基礎板６との組立作業、並びに、束材１０とつなぎ部材９との組み立て作業を省略できるため、現場での作業を軽減できる。
【００２９】
そして、施工現場では、先ず、図４に示すように、打設された捨てコンクリート２の上面に束材１０の取付位置に対応させて束材支持用のアンカーボルト１１の一部が埋め込まれる状態で固定装着される。この束材支持用のアンカーボルト１１には、上方突出部分にネジ軸部１３が形成されており、それに外装する角形の座金１４が固定用のナット１５により基準固定面３に接当させるように締め付ける状態で設けられる。又、ネジ軸部１３には基準固定面３より設定量上方に位置する位置に束材取付用のナット１７のうち被支持部１２の下側に作用する下側ナット１７ａを螺合装着する。この取付位置は、後述するような基礎板６を所定レベルにするために設定された位置である。
【００３０】
次に、図５に示すように、基準固定面３から所定高さとなるように適宜箇所に間隔保持用のスペーサ２６を配備して、そのスペーサ２６に載置する状態で格子状の下部配筋２７を設置した後、図６に示すように、前記ユニット状の支持用連結部２５における各束材１０の被支持部１２を束材支持用のアンカーボルト１１に挿通させて、束材取付用のナット１７のうち被支持部１２の上側に作用する上側ナット１７ｂを螺合装着して締め付け固定する。
【００３１】
次に、図７に示すように、前記ユニット状の支柱受止体７を前記ユニット状の支持用連結部２５に接続する。具体的には、図３にも示すように、前記各取付部材５と前記各つなぎ部材９とをそれらが重なり合う箇所において、つなぎ部材側長孔２８と取付部材側長孔２９とを挿通するボルト１８とそれに螺合するナット１９とにより締結する状態でつなぎ部材９と取付部材５とを接続させる。そのとき角形の座金３０を介して締め付け固定するようになっている。
そして、前記下部配筋２７のときと同様に、基準固定面３から所定高さとなるように適宜箇所に間隔保持用のスペーサ（図示せず）を配備した状態でそのスペーサに載置する状態で格子状の上部配筋３２を設置する。
【００３２】
次に、自動倉庫におけるスタッカークレーンが走行する箇所において設置されることになる走行用支持台３３（図１参照）を適宜箇所に設置して固定したのちに、コンクリートスラブ４を形成するためのコンクリートを打設する。コンクリートが固まると、図２及び図８に示すように、基礎板６の上面以下はコンクリートスラブ４内に埋設され、基礎板６の上面はコンクリートスラブ４の上面に露出する状態となる。
【００３３】
このようにして構造物支持用の基礎が形成され、図８に示すように、前記基礎板６の上部に、コンクリートスラブ４上に設置された構造物の一例としての自動倉庫における収納棚の縦支柱２２の下端が連結固定されることになる。これら縦支柱２２の下端には、上記基礎板６の一対の天板部２０に載置可能なベースプレート２３が設けられ、ベースプレート２３は上記支柱固定用のアンカーボルト８と固定用ナット３４とにより基礎板６に連結固定される。尚、基礎板６の一対の天板部２０はベースプレート２３よりも僅かに小さなサイズに形成され、基礎板６が露出しないようにして基礎板６の上面が錆びるおそれがないようにしている。
【００３４】
〔別実施形態〕
以下、別実施形態を列記する。
【００３５】
（１）上記実施形態では、前記束材支持用のアンカーボルトが、それに外装する角形の座金を前記固定用のナットにより前記基準固定面に接当させるように締め付ける状態で設けられる構成としたが、丸形の座金を介して締め付ける構成にしてもよい。その際、丸形の座金の径をできるだけ大径にすることで受止め支持強度を高めるようにするとよい。
【００３６】
（２）上記実施形態では、前記支柱受止体を一対の長尺状の取付部材５と基礎板６とを溶接して組み付ける構成としたが、取付部材５と基礎板６とをボルト・ナットで締め付け固定するようにしてもよい。
【００３７】
（３）上記実施形態では、前記つなぎ部材９と前記束材１０とを溶接固定する構成としたが、それらをボルト・ナットで締め付け固定するようにしてもよく、その際につなぎ部材９と束材１０との連結強度を向上させるために、補強用部材を備えるようにしてもよい。又、前記束材として断面Ｌ字形のものに代えて断面コ字形のチャンネル材を用いるようにしてもよい。
【００３８】
（４）上記実施形態では、構造物として自動倉庫を例示したが、本願発明は、自動倉庫に限らず複数の支柱を備える各種の構造物に適用することができる。
【図面の簡単な説明】
【００３９】
【図１】構造支柱下端の支持装置の全体斜視図
【図２】支柱受止体を示す斜視図
【図３】組み付け構造を示す分解斜視図
【図４】組付け状態を示す断面図
【図５】組付け状態を示す断面図
【図６】組付け状態を示す断面図
【図７】組付け状態を示す断面図
【図８】組付け状態を示す断面図
【符号の説明】
【００４０】
３      基準固定面
５      取付部材
６      基礎板
７      支柱受止体
８      支柱固定用のアンカーボルト
９      つなぎ部材
１０    束材
１１    束材支持用のアンカーボルト
１２    被支持部
１３    ネジ軸部
１４    座金
１５    固定用のナット
１７    束材取付用のナット
【図１】
2009024455.tif 000003
【図２】
2009024455.tif 000004
【図３】
2009024455.tif 000005
【図４】
2009024455.tif 000006
【図５】
2009024455.tif 000007
【図６】
2009024455.tif 000008
【図７】
2009024455.tif 000009
【図８】
2009024455.tif 000010